(57)【要約】【課題】国際公開第ＷＯ２００５−０１０３９８号により開示されたクラッシュボックスが本来有する衝撃吸収能を十分に発揮して、自動車等の車両の衝突時に発生する衝撃エネルギーを十分に吸収することができるサイドメンバーを提供する。【解決手段】離間して対向する一対の長辺１５−１、１５−２及び短辺を有する扁平な四角形により構成される横断面形状を有する筒状体により構成され、この筒状体の一方の端面を含む領域Ｙである端部に、筒状体の軸方向と略平行な方向へ向けて衝撃荷重を受けた際に長辺１５−１、１５−２を含む外壁１５−３、１５−４に生じる撓みを低減するための撓み低減手段１７を備えるサイドメンバー１５である。【選択図】図１
2008247379.tif 000002
【特許請求の範囲】
【請求項１】
離間して対向する一対の長辺及び短辺を有する扁平な多角形により構成される横断面形状を有する筒状体により構成され、該筒状体の一方の端面を含む端部に、前記筒状体の軸方向と略平行な方向へ向けて衝撃荷重を受けた際に前記長辺を含む外壁に生じる撓みを低減するための撓み低減手段を備えることを特徴とするサイドメンバー。
【請求項２】
前記撓み低減手段は、前記筒状体の内部に配置されて前記一対の長辺を含む二つの外壁を接続する長辺接続部材である請求項１に記載されたサイドメンバー。
【請求項３】
前記長辺接続部材は板材である請求項２に記載されたサイドメンバー。
【請求項４】
前記端部は、前記端面から前記筒状体の軸方向へ向けて、前記長辺の長さの少なくとも２５％までの範囲の部分である請求項１から請求項３までのいずれか１項に記載されたサイドメンバー。
【請求項５】
前記一方の端面には、該端面に対向して配置される端面を備えるクラッシュボックスが配置される請求項１から請求項４までのいずれか１項に記載されたサイドメンバー。
【請求項６】
前記サイドメンバーの前記一方の端面と、前記クラッシュボックスの、前記一方の端面に対向して配置される端面との間に板状部材が配置される請求項５に記載されたサイドメンバー。
【請求項７】
前記クラッシュボックスは、前記対向して配置される端面を含む端部を構成する側壁に内部へ向けて凸となるとともに軸方向へ向けて延設される溝部を有する筒状体により構成され、該筒状体の軸方向と略平行な方向へ向けて負荷される衝撃荷重により繰り返し座屈して蛇腹状に塑性変形することにより衝撃エネルギーを吸収する請求項６に記載されたサイドメンバー。
【請求項８】
前記溝部は、前記対向して配置される端面を、前記サイドメンバーを構成する前記筒状体における前記一方の端面に投影したときに該サイドメンバーの外壁によって分割される位置に、存在することを特徴とする請求項７に記載されたサイドメンバー。
【請求項９】
前記溝部は、前記筒状体における前記対向して配置される端面から他方の端面へ向けて、該筒状体の軸方向の長さの少なくとも３０％の範囲の全てに設けられる請求項７又は請求項８に記載されたサイドメンバー。
【請求項１０】
前記クラッシュボックスを構成する筒状体は略矩形の基本断面を有するとともに、前記溝部は該基本断面を構成する長辺を含む側壁に設けられる請求項７から請求項９までのいずれか１項に記載されたサイドメンバー。
【請求項１１】
前記クラッシュボックスを構成する筒状体は、対向して配置された一対のコーナー部と、該一対のコーナー部同士を結ぶ線に直交して配置された他の一対のコーナー部とを備える四角形の横断面形状の基本断面を有し、前記一対のコーナー部のなす角度は９０°以上１５０°以下であるとともに前記他の一対のコーナー部のなす角度は３０°以上９０°以下であり、前記横断面形状は、前記一対のコーナー部を通過する線に対称な形状であり、前記溝部は、前記四角形の横断面形状を構成する４つの全ての辺において、前記一対のコーナー部と、前記他の一対のコーナー部とを除く位置に設けられる請求項７から請求項９までのいずれか１項に記載されたサイドメンバー。
【請求項１２】
前記クラッシュボックスを構成する筒状体は、軸方向に沿って分割される二つの構成部材を、それぞれの縁部を重ね合わせて接合されることによって構成され、少なくとも一のコーナー部を含む領域が平面状に切り欠かれて形成される切欠き部を備え、該切欠き部は、前記複数の構成部材同士の重ね合わせ接合部をなす請求項１１に記載されたサイドメンバー。
【請求項１３】
前記サイドメンバーを構成する筒状体は、周方向に、剛性に差がある高剛性部及び低剛性部を備え、
前記クラッシュボックスを構成する筒状体に対向して配置される前記サイドメンバーを構成する筒状体の端面を、該クラッシュボックスを構成する筒状体の端面に投影したときに、前記高剛性部は前記切欠き部と一致する位置に存在するとともに、前記低剛性部は前記撓み低減手段と一致する位置に存在する請求項１２に記載されたサイドメンバー。
【請求項１４】
前記サイドメンバーを構成する筒状体は、軸方向に沿って分割されるハット型の二つの構成部材を、それぞれの縁部に設けられる外向きフランジを重ね合わせて接合されることによって構成されるとともに、
前記高剛性部は、重ね合わされた前記外向きフランジを含む部分であるとともに、前記低剛性部は、前記切欠き部を形成されない前記コーナー部を含む部分である請求項１３に記載されたサイドメンバー。
【発明の詳細な説明】
【技術分野】
【０００１】
本発明は、サイドメンバーに関する。具体的には、本発明は、自動車等の車体の強度を維持するとともに、車両の衝突時には発生する衝撃エネルギーを吸収するためのサイドメンバーに関する。
【背景技術】
【０００２】
自動車等の車両は、例えば前方衝突のような衝突の際には車両の前端から後端へ向けて順次配置される衝撃吸収部材により衝撃エネルギーを吸収することによってキャビン内の乗員を保護できるように、設計される。このような衝撃吸収部材の一例としてサイドメンバーやクラッシュボックスがある。
【０００３】
周知のように、サイドメンバーは、サスペンションやエンジン、さらにはミッション等をアンダーボディー（プラットフォーム）に装着する際に介在される骨格であって、モノコックボディーの骨格をなしてアンダーボディーの強度の維持を第１義的に要求される強度部材である一方で、衝突事故等により負荷される衝撃荷重を第一義的に負担することとなる部材でもあるので、強度部材として要求される十分な強度を有した上でさらに衝撃エネルギーを吸収することができる衝撃吸収性能も要求される。サイドメンバーとしては、エンジンコンパートメント（エンコン）内の左右の縦壁部に前後方向へ略水平に延設して溶接されるフロントサイドメンバーや、リアフロアーの下面に前後方向へ略水平に延設して溶接されるリアーサイドメンバー等があり、これらの全長は当然のことながら車両のエクステリアデザインや寸法によって異なるが、通常６００〜１２００ｍｍ程度である。
【０００４】
一方、クラッシュボックスは、自動車のバンパーレインフィースに適宜手段により固定されるとともに上述したサイドメンバーの端面（フロントサイドメンバーでは前端面、リアーサイドメンバーの場合には後端面）に板状の取り付け部材を介して、具体的には、クラッシュボックスの端面に溶接等により装着されたバックプレートと、サイドメンバーの端部に溶接等により装着されたセットプレート（又はサイドメンバーの端部に設けたフランジ）とを重ね合わせてこれらをボルト及びナットで締結することによって、脱着自在に装着される部品である。
【０００５】
クラッシュボックスは、車両の衝突時にその軸方向（本明細書ではクラッシュボックスの長手方向を意味する）へ衝撃荷重が負荷されると、サイドメンバーが塑性変形する前に優先して、軸方向へ繰り返し座屈して蛇腹状（アコーディオン状）に塑性変形することによって、衝突エネルギーを吸収する。このクラッシュボックスに要求される衝撃吸収性能とは、大別すると、（ａ）衝撃荷重が軸方向へ負荷されると倒れや曲がりを生じずに軸方向へ安定して繰り返し座屈することにより蛇腹状に塑性変形すること、（ｂ）クラッシュボックスの圧壊の後半まで荷重低下がないこと、さらには、（ｃ）クラッシュボックスの圧壊の際に発生する最大反力がこのクラッシュボックスを介して衝撃荷重を負荷される、例えばサイドメンバー等の他の部材を破壊しない範囲に抑制され、その結果クラッシュボックスの圧壊が完了するまでの間にサイドメンバー等の損傷が生じないことの３点である。
【０００６】
クラッシュボックスをボディーシェルの所定の位置に装着することにより、（ａ）溶接によりボディーシェルに装着されることからその交換が事実上困難なサイドメンバーの機能の低下を抑制するとともにキャビン内の乗員を保護する機能を向上することによる安全性の向上と、（ｂ）低速での軽衝突の際には、サイドメンバーの損傷を防止し、衝突により損傷したバンパー及びクラッシュボックスのみ交換することで補修できることによる修理費の低減とを、ともに図ることができる。
【０００７】
これまでにも、このクラッシュボックスの衝撃吸収性能を向上させるための材質や形状に係る発明が、多数提案されている。例えば、クラッシュボックスを構成する筒状体の外壁に、軸方向と直交する方向へのビードを、軸方向について複数列形成することにより、クラッシュボックスを軸方向へ繰り返し安定して座屈させる発明が知られており、既に実用化されている。しかし、この発明では、軸方向へ繰り返し座屈する途中においてクラッシュボックスが大きく屈曲変形してしまうことが多く、この場合には、軸方向の一部でしか蛇腹状に塑性変形しない。このため、狙いとする蛇腹状の塑性変形を安定して得ることが難しくなり、衝撃エネルギーの吸収量も少ない。
【０００８】
そこで、本出願人らは、先に、国際公開第ＷＯ２００５−０１０３９８号（特願２００５−５１２１２０号、特許第３９１２４２２号）により、図１６に実線で示すように、略述すれば、横断面をなす多角形（図示例では八角形ＡＢＣＤＥＦＧＨ）の長辺ＤＥ、ＨＡに内部へ向けて凸となるとともに軸方向（図１６における両矢印方向）へ向けて延設される、溝部１ａ、１ｂ、１ｃ及び１ｄ（図示例では略台形状の横断面形状）を有する筒状体１を備え、軸方向へ向けて負荷される衝撃荷重により確実に繰り返し座屈して蛇腹状に塑性変形することにより衝撃エネルギーを吸収するクラッシュボックス２に係る特許発明を提案した。
【０００９】
この提案に係る特許発明によれば、クラッシュボックス２を構成する筒状体１の横断面をなす八角形ＡＢＣＤＥＦＧＨの長辺ＤＥ、ＨＡに内部へ向けて凸となるとともに軸方向へ向けて延設される溝部１ａ〜１ｄを形成するので、溝部１ａ〜１ｄを設けられた部分の剛性が高まり、これにより、軸方向へ衝撃荷重を負荷されて繰り返し座屈する途中においてクラッシュボックスが倒れや曲がりを生じることを防止しながら、軸方向へ安定して繰り返し座屈して蛇腹状に塑性変形することができ、これにより、単位質量当たりの衝撃吸収エネルギー量を飛躍的に高めることができる。
【特許文献１】国際公開第ＷＯ２００５−０１０３９８号
【発明の開示】
【発明が解決しようとする課題】
【００１０】
本発明者らは、衝撃吸収部材の代表例として、特許文献１により提案したクラッシュボックス２をサイドメンバー５の前部へ装着することを、ＦＥＭ数値解析により検討した。
【００１１】
具体的には、図１７に示すように、図１６において実線で示す特許文献１により開示されたクラッシュボックス２を構成する筒体１の後端面１ｅを、取り付け部材である取り付け板３の一方の平面３ａに適宜手段により固定し、取り付け板３の他方の平面３ｂに、略ハット型の横断面を有する部材５ａとこの部材５ａの端部の二つのフランジ９ａ、９ｂを介して重ね合わせ溶接されるクロージングプレート５ｂとにより構成される扁平かつ矩形の横断面を有する周知慣用のフロントサイドメンバー５の前端面を、適宜手段により固定する状況を想定する。
【００１２】
本例では、取り付け板３は、クラッシュボックス２のサイドメンバー５側の端部に溶接等の適宜方法により締結された板３−１と、サイドメンバー５のクラッシュボックス３側の端部に溶接等の適宜方法により締結された板３−２により構成される。
【００１３】
図１６における平面図は、クラッシュボックス２を構成する筒体１の後端面１ｅを、フロントサイドメンバー５の一方の端面に投影したときにおける両者の位置関係を示す説明図である。この説明図に示すように、クラッシュボックス２の横断面の基本をなす八角形ＡＢＣＤＥＦＧＨの長辺ＤＥ、ＨＡが、フロントサイドメンバー５の横断面をなす長方形の長辺に一致するように、クラッシュボックス２の各部寸法を設定する。なお、図１６に示す配置とは異なり、クラッシュボックス２の角部Ａ、Ｄ、Ｅ、Ｈを、フロントサイドメンバー５の角部に一致させるように配置する場合もある。ここでは、図１６に示す配置を対象として説明する。
【００１４】
図１７は、このＦＥＭ数値解析の解析要領を示す説明図である。同図に示すように、この数値解析では、取り付け板３（板厚２ｍｍ、４４０ＭＰａ級の板材）を介して固定されたクラッシュボックス２（軸方向長さ２００ｍｍ、板厚１．２ｍｍ、４４０ＭＰａ級の板材）及びフロントサイドメンバー５（軸方向長さ４００ｍｍ、部材５ａの板厚１．８ｍｍ、クロージングプレート５ｂの板厚１．６ｍｍ、いずれも４４０ＭＰａ級の板材）を解析対象とし、フロントサイドメンバー５の他方の端面を固定面６に完全に固定することによってこの解析対象を鉛直上方向きに固定して配置するとともに、クラッシュボックス２の上端面には天板８（板厚１．６ｍｍ）を溶接により固定し、上方から、質量が１５００ｋｇの落錘体７を落下させてクラッシュボックス２に初速１６ｋｍ／ｈで衝突させることにより解析対象に１４．８ｋＪの衝突エネルギーを与え、解析対象の圧壊時における変形挙動を数値解析した。
【００１５】
この数値解析では、クラッシュボックス２と落錘体７との摩擦係数は０．３とし、ひずみ速度依存性はＣｏｗｐｅｒ−Ｓｙｍｏｎｄｓ則により考慮した。
その結果、図１６における平面図に示す位置関係でクラッシュボックス２をフロントサイドメンバー５に対して配置した場合、意外にも、クラッシュボックス２が本来有する優れた衝撃吸収性能を十分に発揮できなくなるという、新たな課題があることが判明した。つまり、特許文献１により提案したクラッシュボックス２単体では十分な衝撃吸収能を有するにもかかわらず、サイドメンバーの端部への装着の態様によっては、クラッシュボックス２が本来有する優れた衝撃吸収能を発揮できなくなる。
【課題を解決するための手段】
【００１６】
本発明者らは、この課題を解決するために鋭意検討を重ねた結果、例えば、特許文献１により提案したクラッシュボックス等の衝撃吸収部材に負荷された衝撃荷重を、サイドメンバー等の他の部材へ確実に伝達して衝撃吸収部材を確実に蛇腹状に塑性変形させるためには、扁平な多角形により構成される横断面形状を有する筒状体により構成されるサイドメンバーに関して、その筒状体の一方の端面を含む端部に、筒状体の軸方向と略平行な方向へ向けて衝撃荷重を受けた際に長辺を含む外壁に生じる撓みを低減するための撓み低減手段を設けることが有効であることを知見し、さらに検討を重ねて、本発明を完成した。
【００１７】
本発明は、離間して対向する一対の長辺及び短辺を有する扁平な多角形により構成される横断面形状を有する筒状体により構成され、筒状体の一方の端面を含む端部に、筒状体の軸方向と略平行な方向へ向けて衝撃荷重を受けた際に長辺を含む外壁に生じる撓みを低減するための撓み低減手段を備えることを特徴とするサイドメンバーである。
【００１８】
この本発明に係るサイドメンバーでは、撓み低減手段が、筒状体の内部に配置されて一対の長辺を含む二つの外壁を接続する長辺接続部材であることが例示され、この場合さらに長辺接続部材が板材であることが例示される。しかし、本発明における撓み低減手段は、これに限定されるものではなく、例えば（ａ）例えば、いわゆるテーラードブランクや圧延によって板厚が部分的に異なる差厚鋼板等を適宜用いることにより、この端部の板厚をこの端部を除く部分の板厚よりも大きく設定すること、（ｂ）いわゆるテーラードブランクを用いることによりこの端部の強度をこの端部を除く部分の強度よりも高く設定すること、（ｃ）筒状体の稜線部分を構成する外壁部分を複数回折り返すことにより部分的に見掛けの板厚を増加すること等を用いてもよい。
【００１９】
また、長辺接続部材も板材に限定されるものではなく、角パイプ等やＨ形鋼等の各種の横断面形状を有する部材を用いるようにしてもよい。要するに、一対の長辺を含む二つの外壁を接続することができる部材であれば等しく適用される。
【００２０】
これらの本発明に係るサイドメンバーでは、端部が、端面から筒状体の軸方向へ向けて、長辺の長さの少なくとも２５％までの範囲の部分であることが望ましい。
これらの本発明に係るサイドメンバーでは、一方の端面には、この端面に対向して配置される端面を備えるクラッシュボックスが配置されることが例示される。
【００２１】
これらの本発明に係るサイドメンバーでは、サイドメンバーの一方の端面と、クラッシュボックスの、一方の端面に対向して配置される端面との間に板状部材が配置されることが望ましい。
【００２２】
これらの本発明に係るサイドメンバーでは、クラッシュボックスが、上述した対向して配置される端面を含む端部を構成する側壁に内部へ向けて凸となるとともに軸方向へ向けて延設される溝部を有する筒状体により構成され、筒状体の軸方向と略平行な方向へ向けて負荷される衝撃荷重により繰り返し座屈して蛇腹状に塑性変形することにより衝撃エネルギーを吸収するものであることが望ましい。この場合に、溝部が、対向して配置される端面を、サイドメンバーを構成する筒状体における一方の端面に投影したときにサイドメンバーの外壁によって分割される位置に、存在することが望ましい。また、溝部が、筒状体における対向して配置される端面から他方の端面へ向けて、筒状体の軸方向の長さの少なくとも３０％の範囲の全てに設けられることが望ましい。
【００２３】
また、クラッシュボックスを構成する筒状体が略矩形の基本断面を有するとともに、溝部はこの基本断面を構成する長辺を含む側壁に設けられることが望ましい。
また、クラッシュボックスを構成する筒状体が、対向して配置された一対のコーナー部と、この一対のコーナー部同士を結ぶ線に直交して配置された他の一対のコーナー部とを備える四角形の横断面形状の基本断面を有し、一対のコーナー部のなす角度が９０°以上１５０°以下であるとともに他の一対のコーナー部のなす角度が３０°以上９０°以下であり、横断面形状が、一対のコーナー部を通過する線に対称な形状であり、溝部が、四角形の横断面形状を構成する４つの全ての辺において、一対のコーナー部と、他の一対のコーナー部とを除く位置に設けられることも望ましい。この場合に、溝部を設けられる辺における、板厚ｔ（ｍｍ）、辺の長さＷ（ｍｍ）、溝部の個数Ｎ、及びＮ個の溝の開口幅の平均値Ｗｃ（ｍｍ）が、下記式（１）の関係を充足することがさらに望ましい。
【００２４】
５＜（Ｗ−Ｎ×Ｗｃ）／（Ｎ＋１）／ｔ＜５０                ・・・・・・・（１）
この場合に、クラッシュボックスを構成する筒状体が、軸方向に沿って分割される二つの構成部材を、それぞれの縁部を重ね合わせて接合されることによって構成され、少なくとも一のコーナー部を含む領域が平面状に切り欠かれて形成される切欠き部を備え、この切欠き部が、複数の構成部材同士の重ね合わせ接合部をなすことが、さらに望ましい。さらに、この切欠き部を備える場合には、サイドメンバーを構成する筒状体が、周方向に、剛性に差がある高剛性部及び低剛性部を備え、クラッシュボックスを構成する筒状体に対向して配置されるサイドメンバーを構成する筒状体の端面を、このクラッシュボックスを構成する筒状体の端面に投影したときに、高剛性部が切欠き部と一致する位置に存在するとともに、低剛性部が撓み低減手段と一致する位置に存在することが望ましい。例えば、サイドメンバーを構成する筒状体が、軸方向に沿って分割されるハット型の二つの構成部材を、それぞれの縁部に設けられる外向きフランジを重ね合わせて接合されることによって構成されるとともに、高剛性部が、重ね合わされた前記外向きフランジを含む部分であるとともに、低剛性部が、切欠き部を形成されないコーナー部を含む部分であることが、例示される。
【００２５】
さらに、これらの本発明では、溝部が、略台形状又は略Ｖ字状の横断面を有する溝部であることが望ましい。さらに、これらの本発明では、クラッシュボックスを構成する筒状体が、閉断面構造を有するとともに外部へ向けたフランジを有さないことが望ましい。
【発明の効果】
【００２６】
本発明に係るサイドメンバーによれば、例えば特許文献１により開示された溝部を有するようなクラッシュボックスが本来有する優れた衝撃吸収能を、車体に搭載した場合にも十分に発揮することができ、これにより、自動車等の車両の衝突時に発生する衝撃エネルギーを確実かつ十分に吸収することができる。
【００２７】
また、本発明に係るサイドメンバーによれば、クラッシュボックスを構成する筒体の軸方向に対して斜め方向へ向けて負荷される衝撃荷重に対しても、クラッシュボックスの曲がり変形の発生を抑制することができるために、連続的に安定して蛇腹状の塑性座屈変形を発生することができ、これにより、斜め衝突に対してもクラッシュボックスに優れた衝撃吸収性能を発揮させて、斜め衝突時に発生する衝撃エネルギーを確実かつ十分に吸収することができる。
【発明を実施するための最良の形態】
【００２８】
（実施の形態１）
以下、本発明に係るサイドメンバーを実施するための最良の形態を、添付図面を参照しながら詳細に説明する。なお、以降の実施の形態の説明では、クラッシュボックスが特許文献１により開示された特許発明に係るクラッシュボックスである場合を例にとる。しかし、本発明は、このクラッシュボックスに限定されるものではなく、略述すれば、筒状体により構成される部材の一方の端面を、筒状体により構成されるサイドメンバーの軸方向の一方の端面に対向して配置することにより、軸方向と略平行な方向へ向けて負荷される衝撃荷重により繰り返し座屈して蛇腹状に塑性変形することにより衝撃エネルギーを吸収するためのクラッシュボックスであれば、特許文献１により開示されたクラッシュボックス以外のクラッシュボックスに対しても同様に適用可能である。また、以降の実施の形態の説明では、サイドメンバーの側壁が、クラッシュボックスに設けられる全ての溝部を跨いで配置される場合を例にとるが、本発明はこの形態に限定されるものではなく、一部の溝部を跨いで配置される場合や、いずれの溝部も跨がないで配置される場合にも適用可能である。
【００２９】
図１は、本実施の形態のサイドメンバー１５を示す説明図であり、同図中の平面図は、サイドメンバー１５の一方の端面をクラッシュボックス１１の一方の端面に投影したときの両者の位置関係を示す説明図である。
【００３０】
本実施の形態のサイドメンバー１５は、上述したように、特許文献１により開示された特許発明に係るクラッシュボックスを、その前端面に装着されるものであるので、はじめに、特許文献１により開示された特許発明に係るクラッシュボックスと共通する部分を簡単に説明し、次に本実施の形態のサイドメンバー１５を説明する。
【００３１】
本実施の形態のクラッシュボックス１１は、軸方向へ負荷される衝撃荷重を受けて蛇腹状に座屈することにより衝突エネルギーを吸収する筒状体１２を備える。
筒状体１２は、後述する溝部１２ｃ、１２ｄを有するように例えばプレス成形された第１の部材１３ａと、溝部１２ａ、１２ｂを有するように例えばプレス成形された第２の部材１３ｂとを、それぞれの端部に形成される平面部（図１の平面図における左右の縦壁面）で重ね合わせ、この重ね合わせ部で適宜手段（例えばレーザー溶接やスポット溶接）により接合することにより、組み立てられる。このため、筒状体１２は、その横断面形状が図示するような略多角形を有する閉断面であるとともに、この閉断面の外側へ向けたフランジを具備しないものである。
【００３２】
さらに、筒状体１２の横断面形状は、略多角形を構成する複数の頂点のうちの一部を直線で連結して得られる多角形のうちで最大の面積を有する断面である基本断面の多角形ＡＢＣＤＥＦＧＨの辺ＤＥ、ＨＡの一部の領域であって、かつこの辺の端点Ｄ、Ｅ、Ｈ及びＡを除いた位置に、内側へ向けて凸となる溝部１２ａ、１２ｂ、１２ｃ、１２ｄを、筒状体１２の軸方向へ向けて有する。
【００３３】
つまり、このクラッシュボックス１１は、筒状体１２の基本断面をなす八角形（辺ＡＢ、ＢＣ、ＣＤ、ＤＥ、ＥＦ、ＦＧ、ＧＨ、ＨＡから構成され八角形）の長辺を含む側壁に、内部へ向けて凸となるとともに軸方向（図１における両矢印方向）へ向けて延設される、溝部１２ａ〜１２ｄを形成される筒状体１２により構成されるものである。筒状体１２が、その軸方向へ向けて負荷される衝撃荷重により繰り返し座屈し、最終的に蛇腹状に塑性変形することによって、クラッシュボックス１１は衝撃エネルギーを吸収する。
【００３４】
本実施の形態では、溝部１２ａ〜１２ｄが略台形状の横断面形状を有する場合を例にとった。しかし、溝部１２ａ〜１２ｄの横断面形状は略台形状に限定されるものではなく、例えば略Ｖ字状等の略台形状以外の形状の場合であっても、同様の作用効果が奏される。
【００３５】
また、本実施の形態では、溝部１２ａ〜１２ｄを筒状体１２の軸方向の全域に形成した場合を例に取ったが、溝部１２ａ〜１２ｄは軸方向の全域に設ける必要はなく、筒状体１２のサイドメンバー１５側の端面から他方の端面へ向けて、筒状体１２の軸方向の長さの少なくとも３０％の範囲の全てに設けられていれば、後述する本発明の作用効果が奏せられる。
【００３６】
このクラッシュボックス１１は、特許文献１により開示されるように、筒状体１２の横断面をなす多角形ＡＢＣＤＥＦＧＨの辺部分ＤＥ、ＨＡに、内部へ向けて凸となるとともに軸方向へ向けて延設される溝部１２ａ〜１２ｄを形成されており、これら溝部１２ａ〜１２ｄを設けられた部分の剛性が高まっているので、隔壁の追加や板厚の増加を行わなくとも、軸方向へ衝撃荷重を負荷されて繰り返し座屈する途中において筒状体１２が倒れや曲がりを生じることが防止される。このため、クラッシュボックス１１は、質量の増加を伴わずに軸方向へ安定して繰り返し座屈でき、これにより、最終的に蛇腹状に塑性変形することができる。したがって、単位質量当たりの衝撃エネルギーの吸収量を飛躍的に向上することができる。
【００３７】
図１に示すように、本実施の形態では、このクラッシュボックス１１を構成する筒状体１２の後端面１２ｅを、取り付け部材である取り付け板１４の一方の平面１４ａに適宜手段により固定するとともに、この取り付け板１４の他方の平面１４ｂに、サイドメンバー１５の前端面を適宜手段により脱着自在に固定する。
【００３８】
本実施の形態では、取り付け板１４は、クラッシュボックス１１のサイドメンバー１５側の端面に溶接等の適宜方法により締結された板１４−１と、サイドメンバー１５のクラッシュボックス１１側の端面に溶接等の適宜方法により締結された板１４−２により構成され、板１４−１、１４−２はボルト及びナット（図示しない）で締結される。
【００３９】
このようにして、クラッシュボックス１１の一方の端面１２ｅが、サイドメンバー１５の一方の端面に配置される取り付け板１４を介して、サイドメンバー１５の一方の端面に対向して配置される。
【００４０】
図１に示す本実施の形態に係るサイドメンバー１５は、略ハット型の横断面を有する部材１５ａと、この部材１５ａの両端部に形成される二つのフランジ１６ａ、１６ｂを介して重ね合わせ溶接されるクロージングプレート１５ｂとにより構成される扁平かつ矩形の横断面を有するものである。
【００４１】
本実施の形態では、図１中の平面図に示すように、サイドメンバー１５を構成する筒状体における一方の端面を、筒状体１２における一方の端面１２ｅに投影したときに、サイドメンバー１５の側壁が、筒状体１２に設けられる溝部１２ａ〜１２ｄを分割する位置に、存在する。
【００４２】
上述したように、本実施の形態のクラッシュボックス１１の特徴は、筒状体１２の外壁に内部へ向けて凸となるとともに軸方向へ向けて延設される溝部１２ａ〜１２ｄを形成した点であり、これら溝部１２ａ〜１２ｄを設けられた部分の剛性が高いので、隔壁の追加や板厚の増加を行わなくとも、軸方向へ衝撃荷重を負荷されて繰り返し座屈する途中において筒状体１２が倒れや曲がりを生じることが防止され、確実に蛇腹状に塑性変形するという、優れた作用効果が奏される。
【００４３】
しかし、上述した図１１の平面図に示すように、溝部１ａ〜１ｄをサイドメンバー５の外壁の内部に配置してしまうと、溝部１ａ〜１ｄの裏側（サイドメンバー５側）にはクラッシュボックス２を支持する部材が存在しない、いわば空洞の状態となる。このため、溝部１ａ〜１ｄから伝播される衝撃荷重は取り付け板３の曲げ剛性のみで受けることになるか、あるいは取り付け板３を設けない場合には衝撃荷重を全く受けることができない。このため、衝突の初期に取り付け板３やサイドメンバー５の先端側が大きく撓んでしまい、その結果、クラッシュボックス２のサイドメンバー５側の端部（後端部）も大きく撓んでその断面形状が変形し、この部分及び近傍にひずみが衝突の初期から生じる。
【００４４】
一般的に、軸方向へ向けて存在する稜線を有する筒状の部材に、その軸方向へ衝撃荷重を負荷された場合、衝撃荷重を負荷された一方の端部から他方の端部へ向けて繰り返し座屈して蛇腹状に塑性変形することにより衝撃エネルギーを吸収するためには、上記一方の端部側のみにひずみが生じ、他方の端部側には塑性ひずみは殆ど生じずに剛性を保持できることが重要である。これによって、稜線に確実に軸方向への圧縮力が作用し、一方で面外変形が抑制されるため、順次繰り返し座屈することが高荷重負荷下で実現される。
【００４５】
ところが、上述したように、衝突の初期に取り付け板３やサイドメンバー５の先端側が撓んでしまうと、クラッシュボックス２の稜線に負荷される軸方向への圧縮力が減少し、繰り返し座屈を生じなくなるので、特に軸方向への圧壊の後半に荷重が大きく低下し、衝撃エネルギーの吸収量が低下する。
【００４６】
これを防ぐには、例えば取り付け板３の板厚を相当程度増加すればよいが、これでは取り付け板３の重量が増加し、自動車車体の軽量化の要請に応えることができない。
これに対し、本実施の形態では、図１の平面図に示すように、筒状体１２に設けられる溝部１２ａ〜１２ｄがフロントサイドメンバー１５の側壁によって分割されるように、すなわち溝部１２ａ〜１２ｄがフロントサイドメンバー１５の外壁を跨ぐように、配置される。このように、サイドメンバー１５に対してクラッシュボックス１１を配置するには、クラッシュボックス１１を構成する筒状体１２の各部寸法を、図１０に示すクラッシュボックス２の筒状体１から適宜変更すればよい。本実施の形態では、第１の部材１３ａと第２の部材１３ｂとの重ね合わせ部となるそれぞれの平面（図１の平面図における左右の縦壁面）の長さを長く設定することとした。
【００４７】
これによって、溝部１２ａ〜１２ｄから伝達される荷重に対して、サイドメンバー１５の外壁によって反力を生じることができるため、取り付け板１４やサイドメンバー１５の先端部の撓みが抑制される。これにより、クラッシュボックス１１のサイドメンバー１５側の端部で圧壊初期に撓み等によるひずみを生じることなく、先端部側から後端部側へ確実に繰り返し座屈変形することができる。
【００４８】
以上の構成により、サイドメンバー１５よりも先に優先してクラッシュボックス１１を圧壊させて蛇腹状に塑性変形させることが、確かに可能である。しかし、さらに確実に、クラッシュボックス１１が圧壊を完全に完了するまではサイドメンバー１５が損傷しないようにすることが望ましいことはいうまでもない。
【００４９】
ここで、本実施の形態のサイドメンバー１５は、略矩形断面を有し、かつ扁平な断面輪郭を呈する。この場合、サイドメンバー１５の先端部では、一対の長辺１５−１、１５−２を含む二つの外壁１５−３、１５−４における撓み変形が短辺部分における撓み変形よりも多い。
【００５０】
そこで、本実施の形態では、蛇腹状に塑性変形して完全に剛体化するまでクラッシュボックス１１を圧壊する間にサイドメンバー１５を損傷させないために、図１及び図２（ａ）〜図２（ｃ）に例示するように、サイドメンバー１５の補強部材として、各種の中板１７ａ〜１７ｄを配置する。
【００５１】
図２（ａ）〜図２（ｃ）は、本実施の形態で用いるサイドメンバー１５の撓み低減手段１７の各種例を示す説明図である。
本実施の形態では、図１及び図２（ａ）に示すように、サイドメンバー１５の筒状体の内部であって、その一方の端面を含む端部（図１に示す軸方向への領域Ｙ）に、この筒状体の軸方向と略平行な方向へ向けて衝撃荷重を受けた際に、筒状体の一対の長辺１５−１、１５−２を含む二つの外壁１５−３、１５−４に生じる撓みを低減するための撓み低減手段として、一対の長辺１５−１、１５−２を含む二つの外壁１５−３、１５−４を接続する長辺接続部材である中板１７ａを配置する
本実施の形態の長辺接続部材である中板１７ａは、二つの外壁１５−３、１５−４の内面に接合するためのフランジ１７ｅ、１７ｅを有する板材であり、このフランジ１７ｅ、１７ｅを接合部として、抵抗スポット溶接やレーザー溶接等の適宜手段により接合される。
【００５２】
この中板１７ａを設ける範囲は、サイドメンバー１５の端面から筒状体の軸方向へ向けて、長辺１５−１、１５−２の長さの２５％以上の範囲であることが望ましい。この範囲が長辺１５−１、１５−２の長さの２５％未満であると、撓み抑制効果が不十分となるからである。長辺１５−１、１５−２はその剛性がサイドメンバー１５の断面内で最も弱く、矩形に限らず例えば八角形等の扁平な多角形からなる形状においても長辺１５−１、１５−２を含む外壁１５−３、１５−４の面外変形量が過大となり、サイドメンバー１５の全体の座屈挙動が不安定となる主な原因となるので、本実施の形態では、長辺１５−１、１５−２を含む外壁１５−３、１５−４を中板１７ａにより拘束してその撓みを抑制する。
【００５３】
このような趣旨からは、中板１７ａを設ける範囲の上限は特に規定する必要はないが、長過ぎるとサイドメンバー１５の質量増加に直結するので、サイドメンバー１５の仕様等を勘案して、適宜決定すればよい。
【００５４】
上述した図２（ａ）に示す中板１７ａが最も簡単な構造であるが、図２（ｂ）に示すように複数の中板１７ｂ、１７ｃを設けてもよいし、斜め衝突などの非対称の荷重入力を想定する場合には図２（ｃ）に示すように一対の長辺のうちで片側の長辺のみを拘束するようにしてもよい。
【００５５】
このため、本実施の形態によれば、中板１７ａを設けたことにより、取り付け板１４に負荷された衝撃荷重がサイドメンバー１５に確実に伝達されることとなり、クラッシュボックス１１にはその軸方向へ十分な荷重が負荷されることとなり、クラッシュボックス１１が本来有する衝撃吸収エネルギー量を十分に確保できる。
【００５６】
このようにして、本実施の形態によれば、特許文献１により開示されたクラッシュボックスが本来有する衝撃吸収能を十分に発揮して、自動車等の車両の衝突時に発生する衝撃エネルギーを十分に吸収することができるサイドメンバー１５を提供することができる。
【００５７】
以上の実施の形態の説明では、本発明に係るサイドメンバー１５がハット型の部材１５ａと、平板状のクロージングプレート１５ｂとにより構成される筒状体である場合を例にとったが、本発明はサイドメンバー１５の形状には限定されるものではなく、筒状体からなるサイドメンバー１５であれば同様に適用可能である。すなわち、本発明は、図１，２に示す横断面形状を有するサイドメンバー１５に限定されるものではなく、公知の各種のサイドメンバーに対しても同様に適用可能である。例えば、図３（ａ）に示す横断面を有するサイドメンバー１５Ａのようにフランジの向きが左右で異なる場合、図３（ｂ）に示す横断面を有するサイドメンバー１５Ｂや図３（ｃ）に示す横断面を有するサイドメンバー１５Ｃのように六角形の横段面を有する場合、さらには図３（ｄ）に示すサイドメンバー１５Ｄのように八角形の横段面を有する場合等が例示される。
【００５８】
また、実施の形態の説明では、取り付け板１４を設ける場合を例にとったが、取り付け板１４は必ずしも用いる必要はない。
また、本発明における取り付け部材は、取り付け板１４に限定されるものではなく、クラッシュボックス１１及びサイドメンバー１５を取り付けることができる部材であれば、同様に適用可能である。例えば、クラッシュボックス１１のサイドメンバー１５側の端面に板状の取り付け板を適宜手段により固定するとともに、サイドフレーム１５のクラッシュボックス１１側の端面に外向きのフランジを設けておき、取り付け板及びフランジを重ね合わせて両者を貫通するボルト及びナットにより締結することにより、サイドメンバー１５にクラッシュボックス１１を脱着自在に設けるようにしてもよい。
【００５９】
また、実施の形態の説明では、４つの溝１２ａ〜１２ｄの全てが、サイドメンバー１５の外壁を含む位置に存在する場合を例にとったが、これに限定されるものではなく、例えば、斜め衝突等の非対称の荷重入力を想定する場合には、先に荷重が入力される側に位置する溝部のみがサイドメンバー１５の外壁を含む位置に存在するようにしてもよい。
【００６０】
さらに、実施の形態の説明では、図１中の平面図に示すように、クラッシュボックス１１の辺ＢＣ、ＦＧがサイドメンバー１５の外壁と一致しているが、一致させる必要はない。ただし、辺ＡＢ、ＣＤ、ＥＦ、ＧＨがいずれもサイドメンバー１５の外壁と交差する位置に存在することが望ましい。
【００６１】
（実施の形態２）
次に、実施の形態２を説明する。なお、以降の説明は、上述した実施の形態１と相違する部分について行い、共通する部分については同一の符号を付することにより重複する説明を適宜省略する。このため、以降の説明において記載されていない部分は、上述した実施の形態１と同様である。なお、以降の実施の形態の説明では、サイドメンバーの側壁が、クラッシュボックスに設けられるいずれの溝部を跨がないで配置される場合を例にとるが、本発明はこの形態に限定されるものではなく、一部又は全部の溝部を跨いで配置される場合にも適用可能である。
【００６２】
本実施の形態が実施の形態１と相違するのは、クラッシュボックス及びサイドメンバーの形状であるので、これらについて説明する。
図４は、本実施の形態のサイドメンバー２０の構成を模式的に示す説明図であり、同図中の平面図は、サイドメンバー２０の一方の端面をクラッシュボックス３０の一方の端面に投影したときの両者の位置関係を示す説明図である。
【００６３】
本実施の形態のクラッシュボックス３０は、図４に示すように、対向して配置された一対のコーナー部３１、３２と、この一対のコーナー部３１、３２同士を結ぶ線に直交して配置された他の一対のコーナー部３３、３４とを備え、かつ外側にフランジを有さないとともにコーナー部３１〜３４により規定される四角形の横断面形状を有する金属製の筒体３５から構成される。
【００６４】
本実施の形態のクラッシュボックス３０は、外側にフランジを有さないとともにコーナー部３１〜３４により規定される四角形の横断面形状を有する金属製の筒体３５により構成するが、これとは異なり、外側にフランジを有する筒体によりクラッシュボックスを構成するようにしてもよい。
【００６５】
このように、このクラッシュボックス３０は、車幅方向（図４中の平面図における左右方向）又は車高方向（図４中の平面図における上下方向）に、横断面形状の外郭をなす剛性が高い稜線部であるコーナー部３１〜３４を配置する四角形の断面形状を有する。
【００６６】
このクラッシュボックス３０の横断面形状は、一対のコーナー部３１、３２を通する仮想の線Ｌに対称な形状である。さらに、他の一対のコーナー部３３、３４を通過する仮の線Ｍに対称な形状であることが望ましい。対称性が高まるほど、それだけ多様な入力方向からの斜め荷重に対する性能が向上するからである。
【００６７】
オフセット衝突の場合、車幅方向又は上下方向への斜め荷重が入力されるので、クラッシュボックス３０に曲げモーメントが生じる。このような斜め方向からの荷重入力に対してもクラッシュボックス３０が安定して塑性座屈変形を発生するためには、曲げモーメントによって生じる全体での曲げ変形（折れ曲がり）を抑制することと、入力された衝撃荷重によって、筒体３５の軸方向へ衝撃荷重が入力された場合と同様の座屈波長が短い連続的な塑性座屈変形を発生することが重要である。筒体３５全体での曲げ変形を生じる場合は、座屈波長が長い変形となるからである。そこで、荷重が作用する外郭端に該当する位置に剛性が高いコーナー部３３、３４を配置する。このため、このクラッシュボックス３０では、図４に示すように、断面中心を通る直線上にコーナー部３１〜３５を配置する。
【００６８】
また、このクラッシュボックス３０では、一対のコーナー部３１、３２の成す内角の角度θ１、θ２を９０°以上１５０°以下とする（本実施の形態ではいずれも１２０度）とともに、他の一対のコーナー部３３、３４の成す内角の角度θ３、θ４を３０°以上９０°以下とする（本実施の形態ではいずれも６０度）。この理由を説明する。
【００６９】
稜線部であるコーナー部３１〜３４の剛性は、稜線部に存在する円弧長によって決定され、コーナー部３１〜３４が特定の曲率半径で設定される場合、この円弧長は、コーナー部３１〜３５の内角によって変化する。したがって、斜め方向から入力される衝撃荷重により生じる曲げモーメントに対してクラッシュボックス３０が全体での曲がりを生じることなくこの衝撃荷重により塑性座屈変形を発生するためには、一対のコーナー部３１、３２の成す内角の角度θ１、θ２を９０°以上１５０°以下とする。θ１、θ２が１５０°を超えると、クラッシュボックスの製造ならびに設計スペースを考慮に入れた範囲で決定される現実的な曲率半径（１．５〜１０．０ｍｍ程度）の場合に、コーナー部３３、３４の円弧長が短くなり過ぎて所望の剛性を確保することができなくなり、狙いとする塑性座屈変形を生じることができなくなる。
【００７０】
また、他の一対のコーナー部３３、３４の成す内角の角度θ３、θ４は、一対のコーナー部３１、３２の成す内角の角度θ１、θ２と連動するので、角度θ１、θ２を９０°以上１５０°以下とすることに伴って、３０°以上９０°以下とする。
【００７１】
一対のコーナー部３１、３２に比べ、他の一対のコーナー部３３、３４がより高い曲げ剛性が要求される場合は、一対のコーナー部３１、３２の成す角度θ１、θ２が、他の一対のコーナー部３３、３４の成す角度θ３、θ４よりも大きいことが望ましい。
【００７２】
このクラッシュボックス３０は、剛性が高い稜線部であるコーナー部３１〜３４における斜め荷重の負担度合いを増加させることが可能な形状、すなわち斜め荷重の入力方向に対してコーナー部３１〜３４が配置される横断面形状とする。また、コーナー部３１〜３４を設ける横断面形状とすることにより、斜め方向から入力される荷重に対して生じる面外変形を小さくすることができるとともにし、コーナー部３１〜３４に対する圧縮ひずみを高めることができる。
【００７３】
さらに、このクラッシュボックス３０は一対のコーナー部３１、３２を通過する仮想の直線線Ｌに対称に配置される２組の対をなす辺（３６、３７）、（３８、３９）のうちの全てに、一対のコーナー部３１、３２と、他の一対のコーナー部３３、３４とを除く位置に、長手方向へ延びるとともに内部へ向けて凸となる１又は複数（図３では一つの場合を示す）の溝４０〜４３を有している。
【００７４】
そして、これらの溝４０〜４３は、辺３６〜３９における、板厚ｔ（ｍｍ）、辺３６〜３９の長さＷ（ｍｍ）、溝４０〜４３の個数Ｎ、及びＮ個の溝４０〜４３の開口幅の平均値Ｗｃ（ｍｍ）が、下記式（１）の関係を充足することが望ましく、下記式（１’）の関係を充足することがさらに望ましい。
【００７５】
５＜（Ｗ−Ｎ×Ｗｃ）／（Ｎ＋１）／ｔ＜５０                ・・・・・・・（１）
５＜（Ｗ−Ｎ×Ｗｃ）／（Ｎ＋１）／ｔ＜３０                ・・・・・・（１’）
これにより、このクラッシュボックス３０は、短い座屈波長により蛇腹状に塑性座屈変形することができ、高い衝撃吸収エネルギー吸収性能を得られる。この理由を説明する。
【００７６】
クラッシュボックス３０が連続的な塑性座屈（進行性座屈）を生じ、その変形によって生じる荷重履歴によって決定される衝撃吸収エネルギー吸収量を高めるためには、座屈発生から次の座屈発生までの荷重変動を抑制すること、すなわち、座屈波長を短くすることが有効である。この座屈波長は、クラッシュボックス３０の横断面において衝撃荷重によって生じる面外変形（変位）と密接な関係があり、この面外変形の量が大きいと座屈波長が長くなり、一方面外変形が小さいと座屈波長が短くなる。そのため、クラッシュボックス３０の横断面で生じる面外変形を小さくするためには、横断面を構成する辺３６〜３９の幅、すなわち隣接するコーナー部３１〜３４間の距離を小さくすればよい。
【００７７】
具体的には、コーナー部３１〜３４の間の距離Ｗを、筒体３５の板厚ｔの５０倍未満とする。すなわち、コーナー部３１〜３４の間の距離Ｗが板厚ｔの５０倍以上となる辺３６〜３９には、図４に示すように、溝４０〜４３をそれぞれ設けることによって、辺３６〜３９を分断する。なお、コーナー部３１〜３４の間の距離Ｗが板厚の５０倍未満の場合であっても、辺３６〜３９に溝４０〜４３を設けることにより辺３６〜３９をさらに細かく分断するようにしてもよい。
【００７８】
溝４０〜４３は、斜め荷重が作用した際における全体での曲がり変形の抑制とともに、その荷重によって塑性座屈変形の起点となるコーナー部３１〜３４を含まない位置に設けることが望ましい。
【００７９】
このように、クラッシュボックス３０は、辺３６〜３９の幅Ｗが大きい横断面形状である場合に、短い座屈波長を得るために辺３６〜３９に溝４０〜４３を設けて、この溝４０〜４３により新たな稜線部を形成し、辺３６〜３９の幅を、短い座屈波長を得られる範囲に制御するものである。
【００８０】
なお、溝４０〜４３の深さｄｃが浅過ぎると、上述した辺３６〜３９を分断する効果が弱まるため、溝４０〜４３の深さｄｃは１０ｍｍ超とすることが望ましい。
このクラッシュボックス３０では、全てのコーナー部３１〜３５の曲率半径Ｒが、溝４０〜４３を構成する角部４０ａ〜４０ｄ、４１ａ〜４１ｄ、４２ａ〜４２ｄ、４３ａ〜４３ｄのいずれの曲率半径Ｒｃより大きいことが望ましい。この理由を説明する。
【００８１】
薄肉円環の断面２次モーメントは、径及び肉厚によって支配され、径が大きいほど断面２次モーメントは大きくなり、曲げ強度に影響を及ぼす断面係数も同様に径が大きいほど増大する。すなわち、クラッシュボックス３０に対し斜め方向から荷重が作用した際に生じる曲げモーメントに対して曲げ変形を抑制するためには、横断面の外郭に位置して入力される荷重を支持するコーナー部３１〜３４の断面２次モーメントを大きくとることが有効である。また、溝４０〜４３を構成する角部４０ａ〜４０ｄ、４１ａ〜４１ｄ、４２ａ〜４２ｄ、４３ａ〜４３ｄの曲率半径を大きくすると、溝４０〜４３での変形抵抗が過度に高まり、この部分での塑性座屈変形が生じ難くなる。
【００８２】
以上の理由により、本発明では、クラッシュボックス３０の全体の曲げ強度を最も支配する全てのコーナー部３１〜３４の曲率半径Ｒを、溝４０〜４３を構成する角部４０ａ〜４０ｄ、４１ａ〜４１ｄ、４２ａ〜４２ｄ、４３ａ〜４３ｄの曲率半径Ｒｃより大きくすることが望ましい。
【００８３】
このように、本実施の形態のクラッシュボックス３０は、車幅方向又は車高方向にコーナー部３１〜３４を配置し、そのコーナー部３１〜３４を形成する内角θ１〜θ４を最適な範囲に制御するとともに、一対のコーナー部３１、３２を通過する仮想の直線Ｌに対称に配置される２組の対をなす辺（３６、３７）、（３８、３９）に、コーナー部３１〜３４を除く位置に長手方向へ延び、内部へ向けて凸となるとともに式（１）を満足する１又は複数の溝４０〜４３を設けることによって、斜め荷重が入力された場合の曲げ強度を向上させるとともにこの衝撃荷重により塑性座屈変形を発生するものである。
【００８４】
さらに、このクラッシュボックス３０の筒体３５は、軸方向に沿って分割される二つの構成部材３５ａ，３５ｂを、それぞれの縁部を重ね合わせて接合されることによって構成され、コーナー部３３、３４を含む領域が平面状に切り欠かれて形成される切欠き部４４を備える。そして、切欠き部４４は、複数の構成部材同士の重ね合わせ接合部をなしている。これにより、切欠き部４４の剛性が高められており、軸方向への圧壊の際によりいっそう曲がり変形を生じ難い構造とされている。
【００８５】
このため、このクラッシュボックス３０は、軸方向に対して斜め方向へ向けて負荷される衝撃荷重に対しても、全体での曲がり変形の発生を抑制でき、蛇腹状に塑性座屈変形することができる。
【００８６】
本実施の形態においても、図４に示すように、クラッシュボックス３０を構成する筒体３５の後端面３５ｅを、取り付け部材である取り付け板１４の一方の平面１４ａに適宜手段により固定するとともに、この取り付け板１４の他方の平面１４ｂに、フロントサイドメンバー２０の前端面を適宜手段により脱着自在に固定する。
【００８７】
本実施の形態では、取り付け板１４は、クラッシュボックス３０のサイドメンバー２０側の端面に溶接等の適宜方法により締結された板１４−１と、サイドメンバー２０のクラッシュボックス３０側の端面に溶接等の適宜方法により締結された板１４−２により構成され、板１４−１、１４−２はボルト及びナットで締結される。
【００８８】
このようにして、クラッシュボックス３０の一方の端面３５ｅが、サイドメンバー２０の一方の端面に配置される取り付け板１４を介して、サイドメンバー２０の一方の端面に対向して配置される。
【００８９】
一方、図４に示す本実施の形態に係るサイドメンバー２０は、軸方向に沿って分割される略ハット型の横断面を有する二つの構成部材２０ａ、２０ｂの両縁部に形成される二つの外向きフランジ２１ａ、２１ｂを介して互いに重ね合わせ溶接されることによって、扁平かつ矩形の横断面形状を有するように、構成される。
【００９０】
このサイドメンバー２０の内部には、上述した実施の形態１と同様に中板１７ａが配置される。中板１７ａの構成や作用効果、さらには組立方等は実施の形態１と同様であるので、中板１７ａに関する説明は省略する。中板１７ａを設けたことにより、取り付け板１４に負荷された衝撃荷重がサイドメンバー２０に確実に伝達されることとなり、クラッシュボックス３０にはその軸方向へ十分な荷重が負荷されることとなり、クラッシュボックス３０が本来有する衝撃吸収エネルギー量を十分に確保できる。
【００９１】
本実施の形態では、図４中の平面図に示すように、クラッシュボックス３０を構成する筒状体に対向して配置されるサイドメンバー２０を構成する筒状体の端面を、クラッシュボックス３０を構成する筒状体の端面に投影したときに、重ね合わされた外向きフランジ２１ａ、２１ｂが、クラッシュボックス３０に設けられる切欠き部４４と一致する位置に存在するとともに、クラッシュボックス３０における、この切欠き部４４を形成されないコーナー部３１、３２が、撓み低減手段１７である中板１７ａと一致する位置に存在する。この理由を説明する。
【００９２】
後述するように、本実施の形態のクラッシュボックス３０の特徴は、筒状体３５の外壁に内部へ向けて凸となるとともに軸方向へ向けて延設される溝部４０〜４３を形成した点であり、これら溝部４０〜４３を設けられた部分の剛性が高いので、隔壁の追加や板厚の増加を行わなくとも、軸方向へ衝撃荷重を負荷されて繰り返し座屈する途中において筒状体３５が倒れや曲がりを生じることが防止され、確実に蛇腹状に塑性変形するという、優れた作用効果が奏される。
【００９３】
しかし、サイドメンバー２０に中板１７ａが設けられていないと、コーナー部３１、３２の裏側（サイドメンバー２０側）にはクラッシュボックス３０を支持する部材が存在しない、いわば空洞の状態となる。このため、コーナー部３１、３２から伝播される衝撃荷重は取り付け板１４の曲げ剛性のみで受けることになるか、あるいは取り付け板１４を設けない場合には衝撃荷重を全く受けることができない。このため、衝突の初期に取り付け板１４やサイドメンバー２０の先端側が大きく撓んでしまい、その結果、クラッシュボックス３０のサイドメンバー２０側の端部（後端部）も大きく撓んでその断面形状が変形し、この部分及び近傍にひずみが衝突の初期から生じる。
【００９４】
一般的に、軸方向へ向けて存在する稜線を有する筒状の部材に、その軸方向へ衝撃荷重を負荷された場合、衝撃荷重を負荷された一方の端部から他方の端部へ向けて繰り返し座屈して蛇腹状に塑性変形することにより衝撃エネルギーを吸収するためには、上記一方の端部側のみにひずみが生じ、他方の端部側には塑性ひずみは殆ど生じずに剛性を保持できることが重要である。これによって、稜線に確実に軸方向への圧縮力が作用し、一方で面外変形が抑制されるため、順次繰り返し座屈することが高荷重負荷下で実現される。
【００９５】
ところが、上述したように、衝突の初期に取り付け板１４やサイドメンバー２０の先端側が撓んでしまうと、クラッシュボックス３０の稜線に負荷される軸方向への圧縮力が減少し、繰り返し座屈を生じなくなるので、特に軸方向への圧壊の後半に荷重が大きく低下し、衝撃エネルギーの吸収量が低下する。
【００９６】
これを防ぐには、例えば取り付け板１４の板厚を相当程度増加すればよいが、これでは取り付け板１４の重量が増加し、自動車車体の軽量化の要請に応えることができない。
これに対し、本実施の形態では、図４の平面図に示すように、クラッシュボックス３０を構成する筒状体に対向して配置されるサイドメンバー２０を構成する筒状体の端面を、クラッシュボックス３０を構成する筒状体の端面に投影したときに、重ね合わされた外向きフランジ２１ａ、２１ｂが、クラッシュボックス３０に設けられる切欠き部４４と一致する位置に存在するとともに、クラッシュボックス３０における、この切欠き部４４を形成されないコーナー部３１、３２が中板１７ａと一致する位置に存在する。このように、サイドメンバー２０に対してクラッシュボックス３０を配置するには、クラッシュボックス３０を構成する筒状体３５の各部寸法を適宜設定すればよい。
【００９７】
これによって、剛性の高い切欠き部４４から伝播される衝撃荷重を、剛性の高いフランジ２１ａ、２１ｂの重ね合わせ部で受けるとともに、コーナー部３１、３２から伝播される衝撃荷重を中板１７ａで受けることができる。
【００９８】
これにより、取り付け板１４やサイドメンバー２０の先端部の撓みが抑制される。これにより、クラッシュボックス３０のサイドメンバー２０側の端部で圧壊初期に撓み等によるひずみを生じることなく、先端部側から後端部側へ確実に繰り返し座屈変形することができる。
【００９９】
すなわち、サイドメンバーを構成する筒状体２０が、周方向に、剛性に差がある高剛性部及び低剛性部を備える場合には、クラッシュボックスを構成する筒状体に対向して配置されるサイドメンバーを構成する筒状体の端面を、クラッシュボックスを構成する筒状体の端面に投影したときに、高剛性部をクラッシュボックスの切欠き部と一致する位置に存在させるとともに、低剛性部を撓み低減手段と一致する位置に存在させるのである。そして、本実施の形態のように、サイドメンバーを構成する筒状体が、軸方向に沿って分割されるハット型の二つの構成部材を、それぞれの縁部に設けられる外向きフランジを重ね合わせて接合されることによって構成される場合には、高剛性部が、重ね合わされた前記外向きフランジを含む部分であるとともに、低剛性部が、切欠き部を形成されないコーナー部を含む部分であるが、高剛性部は、この外向きフランジにより構成される場合に限られるものではなく、例えば、（ａ）筒状体２０に設けられる適当な形状のブラケットやレインフォース、折り返し部、（ｂ）筒状体２０の構成部材２０ａ、２０ｂの合わせ部、（ｃ）構成部材２０ａ、２０ｂのテーラードブランク化や差厚鋼板化によって構成した場合に周方向の位置の中で板厚の大きい部位、（ｄ）構成部材２０ａ、２０ｂの一部に対する部分焼入れ等によっても、設けることが可能である。
【０１００】
このようにして、本実施の形態によれば、実施の形態１と同等にして、クラッシュボックスが本来有する衝撃吸収能を十分に発揮して、自動車等の車両の衝突時に発生する衝撃エネルギーを十分に吸収することができるサイドメンバーを提供することができる。
【０１０１】
また、本実施の形態によれば、上述したように、クラッシュボックス３０を構成する筒体２５の軸方向に対して斜め方向へ向けて負荷される衝撃荷重に対しても、曲がり変形の発生を抑制することができるために、連続的に安定して蛇腹状の塑性座屈変形を発生することができ、これにより、斜め衝突に対しても優れた衝撃吸収性能を発揮して、斜め衝突時に発生する衝撃エネルギーを確実かつ十分に吸収することができる。
【０１０２】
さらに、本発明を、参考例及び実施例を順次参照しながら、さらに具体的に説明する。
（参考例１）
本参考例１では、中板１７ａを装着しないことを除いて図１に示す配置構造を有する参考例の解析対象の効果をさらに明らかにするため、図１６に示す配置構造を有する比較例の解析対象とともに、下記の要領で衝突試験のＦＥＭ数値解析を行った。
【０１０３】
図５（ａ）〜図５（ｃ）は、このＦＥＭ数値解析の解析条件を示す説明図である。なお、以降の説明では、上述した図１、１６で説明した部材と同一の部材には、図１、１６で用いた符号と同一の図中符号を付すことにより、重複する説明を適宜省略する。
【０１０４】
図５（ａ）及び図５（ｂ）に示すように、この数値解析では、取り付け板１４（板厚２ｍｍ）を介して固定されたクラッシュボックス１１（軸方向長さ２００ｍｍ、板厚１．０ｍｍ）及びサイドメンバー１５（軸方向長さ４００ｍｍ、部材５ａの板厚１．８ｍｍ、クロージングプレート５ｂの板厚１．６ｍｍ、長辺長さ１５７ｍｍ，短辺長さ７６ｍｍ）を、参考例の解析対象とするとともに、取り付け板３（板厚２ｍｍ）を介して固定されたクラッシュボックス２（軸方向長さ２００ｍｍ、板厚１．２ｍｍ）及びサイドメンバー５（軸方向長さ４００ｍｍ、部材５ａの板厚１．８ｍｍ、クロージングプレート５ｂの板厚１．６ｍｍ）を、比較例の解析対象とした。
【０１０５】
なお、本参考例の解析対象では、図５（ｂ）中の平面図に示す寸法を満足するように、溝部１２ａ〜１２ｄがサイドメンバー１５の外壁を跨ぐように配置させた。また参考例、比較例のいずれの解析対象も、サイドメンバー１５、５の扁平率は２．０とした。さらに、後述する天板８も含め、取り付け板１４、クラッシュボックス１１及びサイドメンバー１５は、いずれも４４０ＭＰａ級の板材とした。
【０１０６】
さらに、素材である第１の部材１３ａ、１３ｂの板厚を１．０ｍｍとした参考例の解析対象であるクラッシュボックスの質量は０．９０５ｋｇであり、これは比較例の解析対象の質量である１．０２７ｋｇに対して、０．８４倍に相当する。
【０１０７】
これらの解析対象を、サイドメンバー１５、５の端部を固定面６に完全に拘束することによって解析対象を鉛直上方向きに固定配置するとともにクラッシュボックス１１、２の上端部に天板８（板厚１．６ｍｍ）を溶接により固定し、上方から、図５（ｃ）の実線で示す水平面に対して平行な衝突面を有する、質量が１５００ｋｇの落錘体７を落下させてクラッシュボックス１１、２に初速１６ｋｍ／ｈで衝突させることにより解析対象に１４．８ｋＪの衝突エネルギーを与え、解析対象の圧壊時の変形挙動を数値解析した。この数値解析では、クラッシュボックス１１、２と落錘体７との摩擦係数は０．３とするとともに、ひずみ速度依存性はＣｏｗｐｅｒ−Ｓｙｍｏｎｄｓ則により考慮した。
【０１０８】
図６（ａ）は、この解析により求めた相当塑性ひずみを計測した断面を示す説明図であり、図６（ｂ）は圧壊前の先端からの位置Ｘ（ｍｍ）と、図６（ａ）に示す断面で求めた相当塑性ひずみとの関係を示すグラフである。また、図７は、６０ｍｍ以上の圧壊ストロークと、ストローク６０ｍｍ以上におけるクラッシュボックスが吸収するエネルギー量との関係を示すグラフである。
【０１０９】
図６（ｂ）に示す参考例のように、溝１２ａ〜１２ｄがサイドメンバー１５の外壁を跨ぐ位置に存在すると、衝突した端部側から順次ひずみが生じ、繰り返し座屈を確実に生じて蛇腹状に塑性変形する。しかし、図５（ａ）に示す比較例では、圧壊量６０ｍｍ付近からクラッシュボックス１のサイドメンバー５側での変形が顕著になってくる。図６（ｂ）には、圧壊量が６０ｍｍでの図示位置のひずみ分布をグラフで示すが、このグラフに示すように○で囲んだ領域Ａにおいて比較例では大きなひずみを生じることがわかる。このため、図７にグラフで示すように、圧壊量が６０ｍｍ以上となると、クラッシュボックスが新たに吸収できるエネルギー量に関して、参考例は比較例よりも格段に優れる。
【０１１０】
以上の参考例１により、特許文献１により開示されたクラッシュボックスが有する衝撃吸収能を十分に発揮して、自動車等の車両の衝突時に発生する衝撃エネルギーを十分に吸収することができることがわかる。
【０１１１】
（参考例２）
本参考例では、上述した図５（ｃ）に破線で示すように水平面に対して斜めに１０度傾斜した衝突面を有する落錘体７を、参考例１と同じ条件で落下させる場合を想定して、衝突試験のＦＥＭ数値解析を行った。
【０１１２】
すなわち、参考例１では正面衝突における衝撃吸収部材の圧壊挙動を調べたが、近年では乗用車等の車両の衝突安全性能を高めるために衝突評価基準が厳格化されつつあり、例えば前面衝突では、１０度傾斜したバリアーに時速１６ｋｍ／ｈで衝突させ、車体各部の損傷を評価する衝突試験も行われている。図５（ｃ）に破線で示す、水平面に対して斜めに１０度傾斜した衝突面を有する落錘体７は、この基準を反映させた解析を行う要領を示すものである。
【０１１３】
図８は、本参考例及び比較例の双方について、８０ｍｍ圧壊時の状況を示す説明図であり、図９（ａ）は、クラッシュボックス１１、２の上端部及び下端部の２点Ｂ、Ｃ間のＺ方向（軸方向に対して直角な方向）相対距離の測定位置を示す説明図であり、図９（ｂ）は、この２点Ｂ、Ｃ間のＺ方向相対変位（ｍｍ）と圧壊ストローク（ｍｍ）との関係を示すグラフである。
【０１１４】
参考例１と同様に、比較例では溝部１ａ〜１ｄから伝播される荷重に対して溝部１ａ〜１ｄに該当する位置での反力は取り付け板３の曲げ剛性のみにより与えられるため、圧壊初期から取り付け板３の圧壊方向への撓み変形が生じる。特に、本実施例のように斜め衝突では、クラッシュボックス２のうちで先に当たる側（図８では図示する車体外側）から荷重入力が開始される。このため、比較例では、先に当たる側の溝部に該当する取り付け板の撓み変形が先行し、これにより、クラッシュボックス２は外側へ倒れる挙動を生じる。このため、圧壊ストロークが７０ｍｍ近傍からクラッシュボックス２の倒れ込みが顕著になる。
【０１１５】
これに対し、本参考例では、溝部１２ａ〜１２ｄがサイドメンバー１５の外壁を跨ぐ位置に存在するので、溝部１２ａ〜１２ｄから伝達される荷重が、サイドメンバー１５の外壁による反力で確実に受けることが可能となり、取り付け板１４の撓みが抑制される。このため、図９（ｂ）にグラフで示すように、本参考例によればクラッシュボックス１１が倒れ込む変形を生じることなく圧壊を完了でき、クラッシュボックス１１は所定の吸収エネルギーを十分に確保できる。
【０１１６】
図１０は、圧壊ストローク（ｍｍ）における吸収エネルギー（ｋＪ）を示すグラフである。本参考例によれば、８０ｍｍ以上の圧壊ストロークにおいて特に吸収エネルギーの低下が少ないことがわかる。
【実施例１】
【０１１７】
参考例１、２によれば、サイドメンバーよりも先に優先してクラッシュボックスを圧壊させて蛇腹状に塑性変形させることは、確かに可能である。しかし、本発明者らの検討結果によれば、クラッシュボックスが圧壊を完了する直前で荷重が増加し、クラッシュボックス単体でのエネルギー吸収が完了しないうちに、サイドメンバーが損傷することがあることが判明した。サイドメンバーの損傷を回避するには、サイドメンバーの先端の板厚を増加すればよいが、車体軽量化の要請に反するので望ましい方法ではない。そこで、本発明の効果をさらに高める技術、具体的には蛇腹状に塑性変形して完全に剛体化するまでクラッシュボックスを圧壊する間に、サイドメンバーが損傷しない技術を検討した。
【０１１８】
ここで、サイドメンバーは、上述したように、略矩形断面を有し、かつ扁平な断面輪郭を呈する場合が多い。この場合、サイドメンバー１５の先端部では、長辺１５−１、１５−２を含む外壁１５−３、１５−４における撓み変形が、短辺を含む外壁における撓み変形よりも大きい。そこで、本実施例では、図２（ａ）に示すように、サイドメンバー１５の筒状体の内部であって、少なくとも先端部に、サイドメンバー１５の補強部材として中板１７ａを配置した。
【０１１９】
本実施例では、図５（ｂ）に示す、（ａ）板厚１．０ｍｍのクラッシュボックス１１、取り付け板１４及びサイドメンバー１５により構成される参考例１と、（ｂ）この参考例１と同じ部品にさらに中板１７ａ（サイドメンバー１５のクラッシュボックス１１側の先端部に、４４０ＭＰａ級の材料により板厚１．６ｍｍ、クラッシュボックス１１の軸方向へ向けて延在する長さ４０ｍｍの質量５３ｇのプレート）を追加した本発明例１と、（ｃ）図３（ａ）に示す、板厚１．２ｍｍのクラッシュボックス２、取り付け板３及びサイドメンバー５により構成される比較例とについて、参考例１で用いた数値解析の手法を用いて、サイドメンバー１５，５の先端に着目してクラッシュボックス１１、２が圧壊完了した時以降におけるサイドメンバー１５、５の変形挙動を分析した。本解析では、サイドメンバー１５、５の変形挙動も解析する必要があるため、１５００ｋｇの水平面を有する落錘体７を時速６４ｋｍ／ｈで落下させ、変形量として４５０ｍｍまでの解析を行った。
【０１２０】
比較例では、クラッシュボックス２への荷重入力と同時に取り付け板３の変形が開始され、これにより圧壊の開始初期からクラッシュボックス２のサイドメンバー５側の端部近傍で変形が生じ、クラッシュボックス２の全体に曲がりが生じた。また、サイドメンバー５には圧壊量６０ｍｍから、先端部に変形を生じた。
【０１２１】
これに対し、参考例１では、取り付け板１４の変形が圧壊の開始初期からは生じず、クラッシュボックス１１が優先的に変形してエネルギーを吸収した。サイドメンバー１５の先端には圧壊量が１１８ｍｍになるまではひずみが生じなかったが、それ以後ではクラッシュボックス１１が圧壊すると同時にサイドメンバー５の先端にも若干のひずみが生じた。
【０１２２】
さらに、本発明例１では、クラッシュボックス１１の変形が完全に完了してクラッシュボックス１１が剛体化する、圧壊量１５７ｍｍまで、サイドメンバー１５には一切ひずみが発生しなかった。
【０１２３】
表１には、圧壊量１４０ｍｍまでにクラッシュボックス１１、１が吸収したエネルギーをまとめて示す。
【０１２４】
【表１】
2008247379.tif 000003
【０１２５】
表１における比較例と参考例１、本発明例１とを対比することにより、参考例１及び本発明例１によりクラッシュボックス１１の衝撃吸収量が飛躍的に向上するとともに、さらに本発明例１によりサイドメンバー１５の損傷を最小限に抑制しながらクラッシュボックス１１の性能を最大限に発揮できることがわかる。
【０１２６】
すなわち、本実施例により、サイドメンバー１５の補強部材として中板１７ａを配置することにより、サイドメンバー１５の本体の対向配置される長辺同士を、連結して長辺の中央付近を対向して拘束し、サイドメンバー１５の先端部の変形の開始をさらに遅らせることができることがわかる。
【０１２７】
（参考例３）
参考例１において、溝部１２ａ〜１２ｄを軸方向へ形成する範囲を見極めるべく、図１１（ａ）に示す形状のクラッシュボックスの解析モデル１８を用いて、サイドメンバー側の端面１８ａからの軸方向への溝部１９ａ〜１９ｄの設置高さｈを種々変更して、ＦＥＭ数値解析を行った。
【０１２８】
このＦＥＭ数値解析に用いる解析モデル１８は、板厚１．０ｍｍで４４０ＭＰａ級の材料からなるとともに軸方向の全長が２００ｍｍである筒状体により構成される。溝部１９ａ〜１９ｄの深さは２０ｍｍであり、１５００ｋｇの落錘体を時速１６ｋｍ／ｈの初速で衝突させることにより圧壊した。本ＦＥＭ解析ではクラッシュボックスのみを解析モデルとした。さらに、クラッシュボックスの上面には図１７に示す例と同様の天板８（板厚１．６ｍｍ）を設けるとともに、下面を固定面に固定した。
【０１２９】
軸方向への溝部１９ａ〜１９ｄを設けた部分では、溝部１９ａ〜１９ｄの横断面形状は同一とし、それより上側では徐々に溝部１９ａ〜１９ｄの深さが浅くなり、最終的に０となるようにした。
【０１３０】
ＦＥＭ数値解析の結果として、軸方向へ１２０ｍｍ圧壊するまでのエネルギー吸収量を、図１１（ｂ）にグラフで示す。
図１１（ｂ）のグラフにおける横軸は、溝高さｈを部材高さ２００ｍｍにより除して％で表示した値である。
【０１３１】
図１１（ｂ）のグラフから、溝部１９ａ〜１９ｄの形成範囲を、サイドメンバー側の端面から軸方向へ向けてその全長の３０％以上の距離の範囲の全てとすることによって、エネルギー吸収量が急激に向上することがわかる。したがって、溝部１９ａ〜１９ｄは、筒状体におけるサイドメンバー側の端面から他方の端面へ向けて、筒状体の軸方向の長さの少なくとも３０％の範囲の全てであることが望ましい。
【実施例２】
【０１３２】
図１２は、本実施例で数値解析したサイドメンバーの構造を示す説明図であり、図１２（ａ）には内部に中板１７ａを有さない従来例のサイドメンバー４１を示し、図１２（ｂ）には内部に中板４３を有する本発明例のサイドメンバー４２を示す。
【０１３３】
図１３は、本解析における、サイドメンバー４１又は４２の一方の端面を、図４に示すクラッシュボックス３０の一方の端面に投影したときの両者の位置関係を示す説明図であり、図１３（ａ）は従来例を示し、図１３（ｂ）は本発明例を示す。なお、図１３（ａ）にはサイドメンバー４１、４２の寸法を併せて示す。
【０１３４】
本解析では、クラッシュボックス３０を構成する筒体３５は、４４０ＭＰａ級、板厚１．０ｍｍの鋼板からなり、全長２００ｍｍとした。また、サイドメンバー４１、４２を構成する筒体は、４４０ＭＰａ級、板厚１．６ｍｍの鋼板からなり、全長４００ｍｍとした。さらに、中板４３は、板厚１．６ｍｍとし、図１２（ｂ）に示すようにサイドメンバー４２の軸方向と平行な方向の長さを５０ｍｍとした。
【０１３５】
この解析では、図１３（ａ）及び図１３（ｂ）に示す配置構造で先端にクラッシュボックス３０を装着されたフロントサイドメンバー４１，４２を、鉛直上方へ向けて固定配置し、上方から質量１．５トンの落錘体を落下させて時速１６ｋｍ／ｈで衝突させ、クラッシュボックス３０の軸方向への圧壊量と、クラッシュボックス３０の吸収エネルギーとの関係を解析により求めた。結果を図１４にグラフで示す。
【０１３６】
なお、クラッシュボックスがフロントサイドメンバーよりも優先して充分に圧壊し、その後にフロントサイドメンバーの圧壊が開始されることが望ましいので、本解析では、クラッシュボックスの吸収エネルギーが大きいことは、フロントサイドメンバーの損傷が小さく、良好な結果であることを意味する。
【０１３７】
図１４に示すグラフから理解されるように、本発明によれば、優れた衝撃エネルギー吸収性が得られることがわかる。
（変形例）
以上の説明では、図１５（ａ）、図１５（ｂ）に示す、実線により構成される横断面形状を有するクラッシュボックス１１、３０を用いた場合を例にとった。
【０１３８】
しかし、本発明は、これらの形態のクラッシュボックス１１、３０に限定されるものではなく、例えば、図１５（ａ）、図１５（ｂ）において破線で示すように、溝部により分断される複数の辺が同一直線状に存在しない横断面形状を有するクラッシュボックスや、図１５（ｃ）に示すように頂点を含む位置に形成される溝部を有する横断面形状を有するクラッシュボックス５０についても、同様に適用される。
【図面の簡単な説明】
【０１３９】
【図１】図１は、実施の形態１のサイドメンバーを示す説明図であり、同図中の平面図は、サイドメンバーの一方の端面をクラッシュボックスの一方の端面に投影したときの両者の位置関係を示す説明図である。
【図２】図２（ａ）〜図２（ｃ）は、サイドメンバーの筒状体の内部であって、少なくとも先端部に、サイドメンバーの補強部材として配置される、各種の中板を示す説明図である。
【図３】図３（ａ）〜図３（ｄ）は、サイドメンバーの各種横断面を示す説明図である。
【図４】実施の形態２のサイドメンバーの構成を模式的に示す説明図であり、同図中の平面図は、サイドメンバーの一方の端面をクラッシュボックスの一方の端面に投影したときの両者の位置関係を示す説明図である。
【図５】図５（ａ）〜図５（ｃ）は、ＦＥＭ数値解析の解析条件を示す説明図である。
【図６】図６（ａ）は、数値解析により求めた相当塑性ひずみを計測した断面を示す説明図であり、図６（ｂ）は圧壊前の先端からの位置Ｘ（ｍｍ）と、図６（ａ）に示す断面で求めた相当塑性ひずみとの関係を示すグラフである。
【図７】図６は、６０ｍｍ以上の圧壊ストロークと、ストローク６０ｍｍ以上におけるクラッシュボックスが吸収するエネルギー量との関係を示すグラフである。
【図８】図８は、参考例及び比較例の双方について、８０ｍｍ圧壊時の状況を示す説明図である。
【図９】図９（ａ）は、クラッシュボックスの上端部及び下端部の２点Ｂ、Ｃ間の上下方向（Ｚ方向）相対距離の測定位置を示す説明図であり、図９（ｂ）は、この２点Ｂ、Ｃ間の相対変位（ｍｍ）と圧壊ストローク（ｍｍ）との関係を示すグラフである。
【図１０】図１０は、圧壊ストローク（ｍｍ）における吸収エネルギー（ｋＪ）を示すグラフである。
【図１１】図１１（ａ）は、クラッシュボックスの解析モデルの形状を示す説明図であり、図１１（ｂ）は、ＦＥＭ数値解析の結果として軸方向へ１２０ｍｍ圧壊するまでのエネルギー吸収量を示すグラフである。
【図１２】実施例２で数値解析したサイドメンバーの構造を示す説明図であり、図１２（ａ）には内部に中板を有さない従来例のサイドメンバーを示し、図１２（ｂ）には内部に中板を有する本発明例のサイドメンバーを示す。
【図１３】実施例２の解析における、サイドメンバーの一方の端面を、図４に示すクラッシュボックスの一方の端面に投影したときの両者の位置関係を示す説明図であり、図１３（ａ）は従来例を示し、図１３（ｂ）は本発明例を示す。
【図１４】実施例２の結果を示すグラフである。
【図１５】図１５（ａ）〜図１５（ｃ）はクラッシュボックスの各種の変形例を示す説明図である。
【図１６】特許文献１により開示されたクラッシュボックスを構成する筒体の後端面を、取り付け板を介して、フロントサイドメンバーの前端面に固定する状況を示す説明図である。
【図１７】ＦＥＭ数値解析の解析要領を示す説明図である。
【符号の説明】
【０１４０】
１  筒体
１ａ〜１ｄ  溝部
１ｅ  後端部
２  クラッシュボックス
３  取り付け板
３ａ  一方の平面
３ｂ  他方の平面
５  フロントサイドメンバー
５ａ  部材
５ｂ  クロージングプレート
６  固定面
７  落錘体
８  天板
１０  クラッシュボックスの配置構造
１１  クラッシュボックス
１２  筒状体
１２ａ〜１２ｄ  溝部
１２ｅ  後端部
１３ａ  第１の部材
１３ｂ  第２の部材
１４  取り付け板
１４ａ  一方の平面
１４ｂ  他方の平面
１５、１５Ａ〜１５Ｄ  サイドメンバー
１５−１、１５−２  長辺
１５−３、１５−４  外壁
１５ａ  第１の部材
１５ｂ  クロージングプレート
１６ａ、１６ｂ  フランジ
１７  撓み低減手段
１７ａ〜１７ｄ  中板
１７ｅ  フランジ
１８  クラッシュボックスの解析モデル
１８ａ  端面
１９ａ〜１９ｄ  溝部
【図１】
2008247379.tif 000004
【図２】
2008247379.tif 000005
【図３】
2008247379.tif 000006
【図４】
2008247379.tif 000007
【図５】
2008247379.tif 000008
【図６】
2008247379.tif 000009
【図７】
2008247379.tif 000010
【図８】
2008247379.tif 000011
【図９】
2008247379.tif 000012
【図１０】
2008247379.tif 000013
【図１１】
2008247379.tif 000014
【図１２】
2008247379.tif 000015
【図１３】
2008247379.tif 000016
【図１４】
2008247379.tif 000017
【図１５】
2008247379.tif 000018
【図１６】
2008247379.tif 000019
【図１７】
2008247379.tif 000020